(57)【要約】【課題】人がハンドベルトを引き上げた際に、ペットの身体に加わる力の分散を図り、ペットに与える苦痛の発生を抑制して、良好な引き上げ動作を実現することができるペット歩行補助ハーネスを提供する。【解決手段】歩行障害のあるペットに取り付けられる保持体１１と、これに取り付けられるハンドベルト１８とを備える。保持体１１は、胴当て部１２を備え、胴当て部１２にハンドベルト１８を取り付ける。胴当て部１２は、展開状態で左右方向に伸びる横芯材２１を複数備え、これによってペットを引き上げる力を分散させる。胴当て部１２の左右には、左右の縦芯材２２、２３を備え、両縦芯材２２、２３の間に横芯材２１が渡される。【選択図】図１
0003192355.tif 000002
【実用新案登録請求の範囲】
【請求項１】
歩行障害のあるペットに取り付けられる保持体と、前記保持体に取り付けられるハンドベルトとを備え、前記ハンドベルトを引き上げることで前記ペットの歩行を介助するペット歩行補助ハーネスにおいて、
前記保持体は、前記ペットの胴体に取り付けられる胴当て部を備え、
前記胴当て部には、前記ハンドベルトの少なくとも一部が取り付けられることにより、前記ハンドベルトを引き上げる力が前記胴当て部に加わるものであり、
前記胴当て部は、前記保持体の展開状態で左右方向に伸びる横芯材を備え、前記横芯材が前後方向に複数配置され、前記横芯材が前記引き上げる力を分散させるものであることを特徴とするペット歩行補助ハーネス。
【請求項２】
前記胴当て部の左右には、前記保持体の展開状態で前後方向に伸びる左右の縦芯材を備え、前記左右の縦芯材の間に前記横芯材が渡されたことを特徴とする請求項１記載のペット歩行補助ハーネス。
【請求項３】
前記保持体は、前記ペットの胸部に取り付けられる胸当て部を、前記胴当て部の前方に備え、前記胸当て部と前記胴当て部との中央に連続する中央の縦芯材を備え、前記横芯材が前記中央の縦芯材に接続されたことを特徴とする請求項１又は２に記載のペット歩行補助ハーネス。
【請求項４】
前記ハンドベルトは、前記胴当て部の左前、右前、左後、右後から延設された４本の提げ手部分と、左前と右前との前記提げ手部分の間を繋ぐと共に前記胴当て部の前側に沿わされた前保持部分と、左後と右後との前記提げ手部分の間を繋ぐと共に前記胴当て部の後側に沿わされた後保持部分とを備え、
前記前保持部分と前記後保持部分との間に前記横芯材が配置されたことを特徴とする請求項１〜３の何れかに記載のペット歩行補助ハーネス。
【請求項５】
人が肩から懸ける吊りベルトを備え、前記吊りベルトの両端が前記胴当て部の左前、右前、左後、右後の４箇所のうち、少なくとも２箇所を選択して着脱可能に接続されるものであることを特徴とする請求項１〜４の何れかに記載のペット歩行補助ハーネス。
【考案の詳細な説明】
【技術分野】
【０００１】
本考案は、歩行障害のあるペットの歩行を介助するペット歩行補助ハーネスに関する。
【背景技術】
【０００２】
歩行障害のあるペットの歩行を介助するペット歩行補助ハーネスに関する提案として、特許文献１〜３に示すものが知られている。これらのハーネスは、歩行障害のあるペットに取り付けられる保持体と、前記保持体に取り付けられるハンドベルトとを備え、前記ハンドベルトを引き上げることで、歩行困難なペットの足に対する荷重を軽減して、ペットの歩行を助けるものである。
【０００３】
通常のペット用ハーネスは、自立して自由に歩行できるペットを対象とするもので、ペット歩行補助ハーネスのようにペットの足に対する荷重を軽減するためにハンドベルトを引き上げるという使用方法を想定していない。ペットの前足を挿入してペットに取り付ける胸当て部のみ保持体として備えたものが一般的であり、ハーネスの引き上げ動作がペットに対する与える影響を考慮せずに設計されている。
【０００４】
ところが、ペット歩行補助ハーネスの場合、人がハンドベルトを引き上げることで、ペットの足にかかるペットの自重を軽減する一方、引き上げ動作によってハーネスがペットの胴体に食い込んだり、偏荷重となったりするおそれがあり、その結果、ペットに苦痛を与えたり、引き上げ動作がうまく行なえないおそれがある。
【先行技術文献】
【特許文献】
【０００５】
【特許文献１】特開２００７−１５９４３７号公報
【特許文献２】特開２０１１−１２０５２５号公報
【特許文献３】登録実用新案３１７６６０２号公報
【考案の概要】
【考案が解決しようとする課題】
【０００６】
本考案の課題は、歩行障害のあるペットに取り付けられる保持体と、前記保持体に取り付けられるハンドベルトとを備え、前記ハンドベルトを引き上げることで前記ペットの歩行を介助するペット歩行補助ハーネスにおいて、人がハンドベルトを引き上げた際に、ペットの身体に加わる力の分散を図り、ペットに与える苦痛の発生を抑制して、良好な引き上げ動作を実現することにある。
【課題を解決するための手段】
【０００７】
本考案は、歩行障害のあるペットに取り付けられる保持体と、前記保持体に取り付けられるハンドベルトとを備え、前記ハンドベルトを引き上げることで前記ペットの歩行を介助するペット歩行補助ハーネスにおいて、前記保持体は、前記ペットの胴体に取り付けられる胴当て部を備え、前記胴当て部には、前記ハンドベルトの少なくとも一部が取り付けられることにより、前記ハンドベルトを引き上げる力が前記胴当て部に加わるものであり、前記胴当て部は、前記保持体の展開状態で左右方向に伸びる横芯材を備え、前記横芯材が前後方向に複数配置され、前記横芯材が前記引き上げる力を分散させるものを提供する。
【０００８】
前記胴当て部の左右には、前記保持体の展開状態で前後方向に伸びる左右の縦芯材を備え、前記左右の縦芯材の間に前記横芯材が渡されたものとすることができる。
また、前記保持体は、前記ペットの胸部に取り付けられる胸当て部を、前記胴当て部の前方に備え、前記胸当て部と前記胴当て部との中央に連続する中央の縦芯材を備え、前記横芯材が前記中央の縦芯材に接続されたものとすることができる。
【０００９】
前記ハンドベルトは、前記胴当て部の左前、右前、左後、右後から延設された４本の提げ手部分と、左前と右前との前記提げ手部分の間を繋ぐと共に前記胴当て部の前側に沿わされた前保持部分と、左後と右後との前記提げ手部分の間を繋ぐと共に前記胴当て部の後側に沿わされた後保持部分とを備え、前記前保持部分と前記後保持部分との間に前記横芯材が配置されたものとすることができる。
【００１０】
さらに、人が肩から懸ける吊りベルトを備え、前記吊りベルトの両端が前記胴当て部の左前、右前、左後、右後の４箇所のうち、少なくとも２箇所を選択して着脱可能に接続されるものとすることができる。
【考案の効果】
【００１１】
本考案は、保持体の胴当て部に横芯材などを設けることにより、人がハンドベルトを引き上げてペットの歩行を介助する際に、ペットの身体に加わる力の分散を図り、ペットに与える苦痛の発生を抑制したり、良好な引き上げ動作を実現したりすることができるペット歩行補助ハーネスを提供することができたものである。
【図面の簡単な説明】
【００１２】
【図１】本考案の実施の形態に係るペット歩行補助ハーネスの展開状態の表面図。
【図２】（Ａ）〜（Ｄ）は同ペット歩行補助ハーネスの装着工程を示す斜視図。
【図３】（Ａ）は同ペット歩行補助ハーネスの装着後を示す斜視図、（Ｂ）は同ペット歩行補助ハーネスの胴当て部のハンドベルト及び芯材の構造を示す斜視図。
【図４】（Ａ）同ペット歩行補助ハーネスの使用状態を示す側面図、（Ｂ）は同背面図。
【考案を実施するための形態】
【００１３】
以下、図面に基づき本考案の実施の形態を説明する。この実施の形態に関する説明は、特に断りのない限り、ペット歩行補助ハーネス１０を展開した状態（図１参照）にて前後左右を特定するもので、ペットＰの頭側を前側、ペットＰの尻側を後側とする。
（全体構造）
この実施の形態に係るペット歩行補助ハーネス１０は、歩行障害のある犬などのペットＰに取り付けられるもので、特に大型犬に適するものである。ペット歩行補助ハーネス１０は、ペットＰに取り付けられる保持体１１と、保持体１１に取り付けられるハンドベルト１８及び吊りベルト１９とを備える。ハンドベルト１８及び吊りベルト１９は、ペットＰの足にかかる自重を軽減するもので、ハンドベルト１８は人が手で持つものであり、吊りベルト１９は人の肩にかけて使用するものである。
【００１４】
（保持体の全体構造）
保持体１１は、胴当て部１２とその前方に設けられた胸当て部１５とを備える。胴当て部１２は、ペットＰの胴体に装着されるもので、腹を支持する腹部１３と、腹部１３の左右に配置されてペットＰの背に回される背部１４とを備える。胸当て部１５は、ペットの胸を支持する胸部１６と、胸部１６の左右配置されてペットの首に回される首部１７とを備える。胴当て部１２と胸当て部１５との中央には、連続する中央縦芯材２４を備え、胴当て部１２と胸当て部１５とを強固に一体化すると共に、ペットＰの胸から腹にかけて加わる力を前後に分散することで、１点に力が集中してしまうことを防止する。保持体１１は、布や合成樹脂シートなどの柔軟性と強度のある素材で構成することができる。
【００１５】
（胴当て部について）
胴当て部１２は、腹部１３の左右に背部１４を設けた横長の略長方形状をなしており、ペットＰへの装着時には腹部１３がペットＰの腹付近に沿った状態となり、背部１４がペットＰの背中側に回される。背部１４の左右両端には背係止具３１が設けられており、背中に回した背部１４同士を固定する。この背係止具３１には、固定位置が調整可能な面ファスナが適するが、ホックやボタンなどの他の着脱可能な係止具に変更して実施することもできる。
【００１６】
（ラダーフレーム構造）
腹部１３は、ペットＰの腹付近に配置されることで、人がハンドベルト１８、吊りベルト１９を持ち上げた際に、ペットＰの自重が最も大きく加わる部分である。そこで、この力を分散させるために、次の構造（ラダーフレーム構造）を備える。この構造は、図３に示すように、横芯材２１、左縦芯材２２、右縦芯材２３、中央縦芯材２４の帯状の各芯材と、ハンドベルト１８の前保持部分４２と後保持部分４３とによって構成される。
【００１７】
まず、左縦芯材２２及び右縦芯材２３は、前後方向の伸びるように設けられた芯材で、ペットＰの体側付近に配置される。この例では、腹部１３の左右両側に配置される。なお、腹部１３と背部１４とは明確な境界が形成されるものでないため、正確に左右両側に配置されるものでなくてもよく、腹側や背側に若干位置がずれたものであってもよい。
【００１８】
左縦芯材２２及び右縦芯材２３の前後には、ハンドベルト１８が接続される。このハンドベルト１８は、前側の前保持部分４２と、後側の後保持部分４３とを備えるもので、ペットＰの腹の前側に前保持部分４２が沿い、後側に後保持部分４３が沿うようにして、それぞれが胴当て部１２の腹部１３に配置される。図の例では、腹部１３の外側（表面側）に沿わされているが、腹部１３を構成するシートの内部に配置してもよい。また腹部１３の内側（裏面側）に配置することもできるが、ペットＰに対する力の分散の点からは、外側や内部に配置するほうが望ましい。腹部１３の内側（裏面側）は極力凹凸を少なくした一枚のシート状とすることがペットＰに対して優しいものとなる。なお、後保持部分４３は、その左右において腹部１３に接触した状態となっているが、その中央の下腹部分４４では、ペットＰと隙間が開くように、長い目に形成されている。これに対応して、胴当て部１２の後部中央は後くり部２５が形成されており、前方側に切欠した形状となっている。これは雄のペットＰの場合にペニスなどの局部が配置される空間を形成するためのものであり、後くり部２５及び下腹部分４４を形成することで局部に力が加わり難い構造としたものである。
【００１９】
前保持部分４２及び後保持部分４３はその少なくとも一部が腹部１３に固定される。この固定は、例えば全体を逢着してもよく、その一部のみを逢着してもよい。左前、右前、左後、右後における前保持部分４２及び後保持部分４３の端からは、図１の展開状態で左右方向（図３の装着状態で上方向）に、提げ手部分４１が延設されている。提げ手部分４１と、前保持部分４２及び後保持部分４３とは１本の連続したベルトで構成することができるが、別体に形成して互いに接続してもよい。なお、この例では、提げ手部分４１は、左前と左後とがその上端で連続しており、右前と右後とがその上端で連続することで、左右２つの提げ手を構成する。この提げ手には、持ち手４６を設けることで一つに纏めるようにすることも望ましい。
【００２０】
この提げ手部分４１の基端は、左縦芯材２２及び右縦芯材２３のある部分に接続固定されることで、提げ手部分４１からの力は、左縦芯材２２及び右縦芯材２３によって前後に分散される。
この左縦芯材２２及び右縦芯材２３の間に、横芯材２１が渡される。この横芯材２１は展開状態で左右方向に伸びるもので、この例では一端が左縦芯材２２、右縦芯材２３に接続され、他端が中央の中央縦芯材２４に接続される。左縦芯材２２及び右縦芯材２３と、中央縦芯材２４とは、その交点で重なるように配置してもよく、中央縦芯材２４と右縦芯材２３とを重ねずに縫製などで一体化してもよい。また、中央縦芯材２４を設けずに、左脇から右脇までを連続する横芯材２１で構成してもよい。この横芯材２１は、前述の前保持部分４２、後保持部分４３と同じく力の分散作用を果たすもので、これらは腹部１３や背部１４のシートよりも強度の強い帯材や合成樹脂や不織布などの芯材にて構成することができる。
横芯材２１、左縦芯材２２、右縦芯材２３は、この例では、腹部１３を構成するシートの内部に配置しているが、腹部１３の外側（表面側）に配置してもよい。なお、腹部１３の内側（裏面側）に配置することも不可能ではない。
【００２１】
以上のように、この保持体１１には、左縦芯材２２及び右縦芯材２３の間に、前保持部分４２と後保持部分４３と横芯材２１とが渡されているため、左縦芯材２２、右縦芯材２３、中央縦芯材２４が梯子の縦木に相当するものとなり、横芯材２１、前保持部分４２、後保持部分４３が梯子の横木に相当するものとなったラダーフレーム構造が構成される。これによって、腹部１３全体に力の分散が可能となることは勿論、前保持部分４２と後保持部分４３と横芯材２１の間に間隔が空けられ、その部分には腹部１３の柔軟なシート状体のみが配置されるため、腹部１３全体では、ペットＰの動きに対応できる柔軟性を備えたものとなる。なお、前保持部分４２と後保持部分４３と横芯材２１とは互いに平行に設けたが、傾斜させて設けたり、Ｘ字状に組み合わせて配置することもできる。
【００２２】
（胸当て部１５について）
胸当て部１５は、展開状態において略Ｙ字状をなし、ペットＰの胸の中央に前後方向に伸びる胸部１６と、その前端から左右前方に伸びる一対の首部１７とを備える。首部１７の端部には首係止具３２を備え、ペットＰの首の後ろに回して左右の首係止具３２を係止することで、ペットＰの胸に取り付けられる。胸部１６の後端は、前述の腹部１３の前側中央に接続されており、胸当て部１５と胴当て部１２とは一連の布で形成することもでき、分離したもので構成することもできる。また図示は省略するが、胴当て部１２と胸当て部１５とを別体として、両者の前後位置を変更可能に接続できるように構成することで、保持体１１の全長を調整可能とすることもできる。
【００２３】
（装着手順）
ここで、図２を参照して、ペットＰに対する保持体１１の装着手順を説明する。
まず図２（Ａ）に示すように、保持体１１をペットＰの身体の下方に通す。その胸当て部１５は前方に、胴当て部１２は後方に配置する。
次に、図２（Ｂ）に示すように、胸当て部１５をペットＰの胸にあてがって、左右の首部１７を首の後ろに回して、左右の首部１７の左縦芯材２２同士を係止する。
次に、図２（Ｃ）に示すように、腹部１３をペットＰの腹にあてがって、左右の背部１４を背中に回して、左右の背部１４の背係止具３１同士を係止する。
最後に、図２（Ｄ）に示すように、左右のハンドベルト１８同士を持ち手４６で一つに纏める。これによって、図３（Ａ）の装着状態となる。
【００２４】
（歩行介助方法）
ペットＰを散歩などに連れ出す際には、図４（Ａ）に示すように、人Ｈがハンドベルト１８の持ち手４６を握って、ペットＰと共に歩く。その際、人Ｈがハンドベルト１８を持ち上げるようにすることで、ペットＰの足に加わるペットＰの自重を軽減することができる。持ち上げる程度は、ペットＰの歩行能力にもよるが、ペットＰの全ての足が完全に地表から完全に離れてしまうような持ち上げ方は好ましくなく、あくまでペットＰの歩行能力を介助する程度のものであることが望ましい。ペットの体高に応じて、ハンドベルト１８の長さを調整することができるように、調整部材を設けることも好ましい。
【００２５】
図４（Ａ）では、ハンドベルト１８のみが描かれているが、この状態でハンドベルト１８の持ち上げ動作を行なうと、その力はハンドベルト１８と接している前後２点に集中してしまう。これに対して、前述のラダーフレーム構造を採用することで、その力は胴当て部１２全体（言い換えれば、ペットＰの腹全体）に分散する。その結果、ハンドベルト１８がペットＰの腹に食い込んだり、前後にバランスを崩したりすることを抑制することができる。
【００２６】
（吊りベルト１９について）
さらに、この実施の形態では、吊りベルト１９を用いることによって、人Ｈの肩に吊りベルト１９を回して、歩行することもできる（図４（Ｂ）参照）。ペットＰの体重は、大型犬の場合３０〜４０Ｋｇ通常であり、成人の体重よりも大きい場合もある。そのため、人Ｈが手で持つだけでその体重を支えることが困難な場合がある。そのため、吊りベルト１９を用いることによって、吊りベルト１９を肩にかけてペットＰの体重を支えるようにする。吊りベルト１９はその両端に吊りベルト接続具３４を備えると共に、中間に肩当て４５を備えるもので、その長さを調整可能としておくことが望ましい。吊りベルト接続具３４は、胴当て部１２の左前、右前、左後、右後の４箇所に設けられた腹接続具３３を選択して係止できることで、人ＨやペットＰの条件に応じた吊り下げ状態を選択することができる。腹接続具３３及び吊りベルト接続具３４は着脱可能な適宜の係止具を採用することができる。
【００２７】
（変更例）
このペット歩行補助ハーネス１０は適宜変更して実施することができ、例えば、ペットＰの前足や後足を通すような開口部を設けたり、ベルトを設けたりして実施することができる。また、大型犬用を例示したが、小型犬用にラダーフレーム構造を適用することも可能である。ハンドベルト１８は、胴当て部１２に着脱不能に固定したが、適当な接続具によって着脱可能とすることもできる。また、小型犬用の場合には、ハンドベルト１８としてリードのような長尺の持ち手に変更して実施することもできる。
【符号の説明】
【００２８】
１０  ペット歩行補助ハーネス
１１  保持体
１２  胴当て部
１３  腹部
１４  背部
１５  胸当て部
１６  胸部
１７  首部
１８  ハンドベルト
１９  吊りベルト
２１  横芯材
２２  左縦芯材
２３  右縦芯材
２４  中央縦芯材
２５  後くり部
３１  背係止具
３２  首係止具
３３  腹接続具
３４  吊りベルト接続具
４１  提げ手部分
４２  前保持部分
４３  後保持部分
４４  下腹部分
４５  肩当て
４６  持ち手
９９  左前、右前、左後、右後
Ｐ  ペット
Ｈ  人
【図１】
0003192355.tif 000003
【図２】
0003192355.tif 000004
【図３】
0003192355.tif 000005
【図４】
0003192355.tif 000006